(57)【特許請求の範囲】
【請求項１】
表示部、マイク及びスピーカを備える装着ユニットが着脱自在に装着されるインターホン装置の固定設置ユニットであって、
ロビーインターホン装置とドアインターホン装置が含まれる他のインターホン装置から送信された第１映像信号と第１音声信号を受信する通信部と、
前記通信部において受信した第１映像信号を前記表示部に出力するために変換した第２映像信号を出力するとともに、前記通信部において受信した第１音声信号を前記スピーカに出力するために変換した第２音声信号を出力するとともに、前記マイクから出力された第３音声信号が入力される接続部と、
前記他のインターホン装置との通信を制御する制御部と、を備え、
前記接続部は、前記装着ユニット側の接続インタフェースと有線接続されるものであり、
前記通信部は、前記接続部において入力された第３音声信号を前記他のインターホン装置に送信するために変換した第４音声信号を送信し、
前記通信部は、
通信線を介して前記ドアインターホン装置と接続され、かつ幹線を介して前記ロビーインターホン装置と接続される通信インタフェースと、
前記通信インタフェースで受信した信号を、前記第１映像信号と前記第１音声信号とに分離する信号分離部と、を含むことを特徴とするインターホン装置の固定設置ユニット。
【請求項２】
前記装着ユニットは、ユーザの操作を受け付ける操作部をさらに備え、
前記制御部は、前記操作部から入力される信号を解釈することを特徴とする請求項１に記載のインターホン装置の固定設置ユニット。
【請求項３】
前記制御部は、前記装着ユニットが非装着の状態で、前記他のインターホン装置から受信する信号が正常であるか否か確認することを特徴とする請求項１または２に記載のインターホン装置の固定設置ユニット。
【請求項４】
前記制御部は、外部ネットワークを介して外部サーバから更新プログラムを受信して、プログラムをバージョンアップすることを特徴とする請求項１から３のいずれかに記載のインターホン装置の固定設置ユニット。
【請求項５】
前記操作部は、非常ボタンを含むことを特徴とする請求項２に記載のインターホン装置の固定設置ユニット。
【請求項６】
前記制御部は、外部ネットワークを介して外部サーバから前記固定設置ユニットの更新プログラムと、前記装着ユニットの更新プログラムを個別に受信することを特徴とする請求項４に記載のインターホン装置の固定設置ユニット。
【請求項７】
請求項１から６のいずれかに記載の固定設置ユニットと、
前記固定設置ユニットに着脱自在に装着される前記装着ユニットと、
を備えることを特徴とするインターホン装置。
【請求項８】
室内に設置される請求項７に記載のインターホン装置と、
室外に設置される前記他のインターホン装置と、
を備えることを特徴とするインターホンシステム。
【発明の詳細な説明】
【技術分野】
【０００１】
本発明は、マンションの住戸内などに設置されるインターホン装置の固定設置ユニット、インターホン装置、及びインターホンシステムに関する。
【背景技術】
【０００２】
近年、インターホン装置の機能が拡充してきており、ディスプレイを搭載した機種が普及してきている。当該ディスプレイには、ロビーやドアに設置されるインターホン装置のカメラで撮影された来訪者の画像を表示できる。液晶ディスプレイや有機ＥＬディスプレイの技術進歩は早く、毎年のように大画面化、高輝度化、高解像度化が進んでいる。また同じ性能のディスプレイを比較した場合、年々価格が低下している。一方、インターホン装置の基本機能である通話機能は、ディスプレイ機能と比較して技術進歩が緩やかである。
【０００３】
特許文献１は、壁に固定される本体モジュールと、本体モジュールの前面側に着脱可能に装着され、本体モジュールに設けられた電源回路から電力供給を受ける露出パネルを備える情報処理装置を開示する。
【先行技術文献】
【特許文献】
【０００４】
【特許文献１】特開２００９−２１８９４５号公報
【発明の概要】
【発明が解決しようとする課題】
【０００５】
インターホン装置に用いられるディスプレイも年々進歩しており、数年経つと陳腐化する。しかしながら、数年おきにインターホン装置全体を交換するのは不経済である。また他のＡＶ機器と異なり、インターホン装置は施工業者による、配線の付け替えや施工設定が必要になる。
【０００６】
本発明はこうした状況に鑑みなされたものであり、その目的は、インターホン装置のユーザインタフェースを簡単に低コストで交換可能とするインターホン装置の固定設置ユニット、インターホン装置、及びインターホンシステムを提供することにある。
【課題を解決するための手段】
【０００７】
上記課題を解決するために、本発明のある態様のインターホン装置の固定設置ユニットは、表示部、マイク及びスピーカを備える装着ユニットが着脱自在に装着されるインターホン装置の固定設置ユニットであって、他のインターホン装置から送信された第１映像信号と第１音声信号を受信する通信部と、前記通信部において受信した第１映像信号を前記表示部に出力するために変換した第２映像信号を出力するとともに、前記通信部において受信した第１音声信号を前記スピーカに出力するために変換した第２音声信号を出力するとともに、前記マイクから出力された第３音声信号が入力される接続部と、を備え、前記通信部は、前記接続部において入力された第３音声信号を前記他のインターホン装置に送信するために変換した第４音声信号を送信する。
【０００８】
なお、以上の構成要素の任意の組み合わせ、本発明の表現を方法、装置、システムなどの間で変換したものもまた、本発明の態様として有効である。
【発明の効果】
【０００９】
本発明によれば、インターホン装置のユーザインタフェースを簡単に低コストで交換できる。
【図面の簡単な説明】
【００１０】
【図１】本発明の実施の形態に係るインターホンシステムの構成を示す図である。
【図２】図２（ａ）−（ｂ）は、埋込型のインターホン室内装置における本体ユニットとパネルユニットの構造の一例を示す模式図である。
【図３】図３（ａ）−（ｂ）は、露出型のインターホン室内装置における本体ユニットとパネルユニットの構造の一例を示す模式図である。
【図４】本発明の実施の形態に係るインターホン室内装置の本体ユニット及びパネルユニットの構成を示すブロック図である。
【図５】変形例に係るインターホン室内装置の本体ユニット及びパネルユニットの構成を示すブロック図である。
【発明を実施するための形態】
【００１１】
図１は、本発明の実施の形態に係るインターホンシステム１の構成を示す図である。本実施の形態ではインターホンシステム１をマンションに設置する例を想定する。インターホンシステム１はロビーインターホン装置４０、制御装置３０、インターホン室内装置１０及びドアインターホン装置２０を備える。
【００１２】
ロビーインターホン装置４０はロビーに設置されたインターホン室外装置であり、来訪者は部屋番号を入力して、訪問先の住戸内に設置されたインターホン室内装置１０を発呼する。制御装置３０は機械室や管理人室などの共用スペースに設置される。制御装置３０はロビーインターホン装置４０とインターホン室内装置１０との間の信号を中継する。ドアインターホン装置２０は住戸玄関に設置される。インターホン室内装置１０とドアインターホン装置２０は親機と子機の関係にある。
【００１３】
なお図１では単純化するため１つの住戸しか描いていないが、実際には多数の住戸が存在し、制御装置３０は複数のインターホン室内装置１０とロビーインターホン装置４０との間を中継する。また制御装置３０は、インターホン室内装置１０に接続された各種のセンサ（、あるいは共用部に設置された各種のセンサ）などにより、他の住戸のインターホン室内装置１０あるいは室外装置にアラート信号を送信する。
【００１４】
本実施の形態ではインターホン室内装置１０を、本体ユニット１１とパネルユニット１２に分離する。本体ユニット１１は、建造物の設定場所（例えば、壁）に固定されるべき固定設置ユニットである。パネルユニット１２は本体ユニット１１に着脱自在に装着される装着ユニットである。
【００１５】
図２（ａ）−（ｂ）は、埋込型のインターホン室内装置１０における本体ユニット１１ａとパネルユニット１２の構造の一例を示す模式図である。図２（ａ）−（ｂ）に示す埋込型のインターホン室内装置１０では、本体ユニット１１ａの筐体部１１ｂが壁に埋め込まれる。本体ユニット１１ａの前面は開口しており、中の収納部１１ｃには回路基板、パネルユニット１２と接続するための配線等が収納されている。
【００１６】
本体ユニット１１ａの前面の外周部には、パネルユニット１２ａ、ｂを装着するための取付機構が設けられる。当該取付構造と対をなす取付機構がパネルユニット１２ａ、ｂの裏面に設けられる。例えば本体ユニット１１ａの前面の外周部にオス型の嵌合部材を設け、パネルユニット１２ａ、ｂの裏面にメス型の嵌合部材を設けてもよい。
【００１７】
パネルユニット１２ａ、ｂの裏面に設けられる取付機構は、パネルユニット１２の種類や大きさ関わらず共通である。従って図２（ｂ）に示すように本体ユニット１１ａの開口部の大きさより、大きなパネルユニット１２ｂも装着可能である。
【００１８】
図３（ａ）−（ｂ）は、露出型のインターホン室内装置１０における本体ユニット１１ｄとパネルユニット１２の構造の一例を示す模式図である。図３（ａ）−（ｂ）に示す露出型のインターホン室内装置１０は壁に掛けられていてもよいし、接着部材により壁に接着されてもよい。また取り付け金具により壁に取り付けられてもよいし、ねじで壁に固定されてもよい。図２（ａ）−（ｂ）に示す埋込型のインターホン室内装置１０と比較して、本体ユニット１１ｄの筐体部１１ｂが薄くなる。それ以外は埋込型のインターホン室内装置１０と基本的に同じである。
【００１９】
図２（ａ）−（ｂ）及び図３（ａ）−（ｂ）では簡略化して描いているが、本体ユニット１１ａ、１１ｄには、幹線２やドアインターホン装置２０の配線や、その他Ｉ／Ｆの配線など実際には数本〜２０本以上の配線が接続される。例えば埋込型の場合には、筐体部１１ｂの天井側の側壁（図２（ａ）−（ｂ）では筐体部１１ｂの引込み線が来ている面辺り）にこれらの配線の挿入孔を設けている。この場合、本体ユニット１１ａを埋め込むための穴に対して、配線を通すための孔の深さを深くする必要がなくなる。また露出型の場合には、筐体部１１ｂの壁面側の底面（図３（ａ）−（ｂ）では筐体部１１ｂと幹線２の分岐との接点の辺り）にこれらの配線の挿入孔を設けている。この場合、本体ユニット１１ｄをはめ込むためにあけた壁の穴を、配線を通すための穴に兼用することができる。
【００２０】
図４は、本発明の実施の形態に係るインターホン室内装置１０の本体ユニット１１及びパネルユニット１２の構成を示すブロック図である。本体ユニット１１は通信Ｉ／Ｆ１１１、信号分離部１１２、制御部１１３、映像信号処理部１１４、音声信号処理部１１５、及び接続Ｉ／Ｆ１１６を備える。パネルユニット１２は接続Ｉ／Ｆ１２１、表示部１２２、スピーカ１２３、マイク１２４及び操作部１２５を備える。
【００２１】
通信Ｉ／Ｆ１１１は、本体ユニット１１と通信線を介して接続されるドアインターホン装置２０との通信におけるインタフェース機能と、幹線２を経由した通信のインタフェース機能を備える。通信Ｉ／Ｆ１１１は、それぞれの通信におけるプロトコルに従い通信信号を制御する。
【００２２】
信号分離部１１２は、通信Ｉ／Ｆ１１１を介してロビーインターホン装置４０またはドアインターホン装置２０から受信した信号を分離する。例えばロビーインターホン装置４０にカメラが設置されている場合、ロビーインターホン装置４０から映像信号と音声信号を含む信号が送信されてくる。この場合、信号分離部１１２は受信信号から映像信号と音声信号を分離する。信号分離部１１２は分離した映像信号を映像信号処理部１１４に出力し、音声信号を音声信号処理部１１５に出力する。なお信号分離部１１２に通信Ｉ／Ｆ１１１を介して他の機器から制御信号が送信されてきた場合、信号分離部１１２は制御信号を制御部１１３に出力する。
【００２３】
制御部１１３はインターホン室内装置１０全体を制御する。制御部１１３はハードウェア資源とソフトウェア資源の協働、又はハードウェア資源単体により実現できる。ハードウェア資源としてプロセッサ、ＲＯＭ、ＲＡＭ、その他のＬＳＩを利用できる。ソフトウェア資源としてファームウェア、オペレーティングシステム、アプリケーション等のプログラムを利用できる。制御部１１３は基本処理として、ロビーインターホン装置４０又はインターホン室内装置１０との通信を制御する。
【００２４】
映像信号処理部１１４及び音声信号処理部１１５もそれぞれ、ハードウェア資源とソフトウェア資源の協働、又はハードウェア資源単体により実現できる。
【００２５】
映像信号処理部１１４は、信号分離部１１２において分離された映像信号を表示部１２２に出力すべき映像信号に変換する。信号分離部１１２から入力された映像信号が圧縮符号化されている場合、映像信号処理部１１４は当該映像信号を伸張復号する。また映像信号処理部１１４は表示部１２２の表示解像度に応じて、受信した映像信号の解像度をアップグレード又はダウングレードする。アップグレード又はダウングレードは、画素補間処理又は画素間引き処理により実現できる。また映像信号処理部１１４は表示部１２２の表示レートに応じて、受信した映像信号のフレームレートを調整する。なお映像信号処理部１１４は、汎用的な表示デバイスのＩ／Ｆ仕様に合致した映像信号が出力できるように信号変換してもよい。
【００２６】
このように映像信号処理部１１４は、表示部１２２のドライバに入力可能な状態の映像信号に変換する。映像信号処理部１１４は、当該ドライバがデジタル対応の場合はデジタル信号で出力し、アナログ対応の場合はアナログ信号に変換する。なお当該ドライバがアナログ対応の場合であっても、当該ドライバの手前において、パネルユニット１２側または本体ユニット１１側にＤ／Ａ変換器を設ければデジタル信号で出力できる。すなわち、映像信号処理部１１４は、パネルユニット１２の表示部１２２に応じて映像信号を変更するものであればよい。
【００２７】
音声信号処理部１１５は、信号分離部１１２において分離された音声信号をスピーカ１２３に出力すべき音声信号に変換する。信号分離部１１２から入力された音声信号が圧縮符号化されている場合、音声信号処理部１１５は当該音声信号を伸張復号する。また音声信号処理部１１５は、マイク１２４から入力される音声信号を、ロビーインターホン装置４０又はドアインターホン装置２０に送信すべき信号に変換する。例えば当該音声信号を圧縮符号化する。また音声信号処理部１１５は、音声認識処理やボイススイッチ処理などの音声に関するアプリケーションを実行することもできる。音声信号処理部１１５と、マイク１２２及びスピーカ１２３との間もアナログ信号であってもよいし、デジタル信号であってもよい。
【００２８】
接続Ｉ／Ｆ１１６は、パネルユニット１２の接続Ｉ／Ｆ１２１と接続するためのインタフェースである。接続Ｉ／Ｆ１１６と接続Ｉ／Ｆ１２１との間は配線１３で接続される。図４では映像信号用の配線１３ａと、音声信号用の配線１３ｂと、制御信号用の配線１３ｃを別々に設ける例を描いている。なお通信チャンネルを分離できていれば配線数は何本でもよい。１本の配線に多重化して通信してもよい。
【００２９】
表示部１２２は、液晶ディスプレイパネルや、有機ＥＬディスプレイパネル等のディスプレイパネルとドライバを備える。当該ドライバは映像信号処理部１１４から入力される映像信号をディスプレイパネルに表示させる。スピーカ１２３は、音声信号処理部１１５から入力される音声信号を物理的な振動に変換して出力する。マイク１２４は音声を集音し、電気信号に変換して音声信号処理部１１５に出力する。
【００３０】
操作部１２５は居住者の操作を受け付けるためのユーザインタフェースである。具体的には通話ボタン、解錠ボタンを備える。その他に非常ボタン、警報音停止ボタン、各種設定のための設定ボタン等を備えることができる。操作部１２５はこれらのボタンの押下状態（ＯＮ／ＯＦＦ状態）を示す制御信号を制御部１１３に出力する。制御部１１３は操作部１２５から入力される制御信号を解釈する。例えば、操作部１２５の通話ボタンが押下された信号が入力されると、制御部１１３はロビーインターホン装置４０又はドアインターホン装置２０と通話チャンネルを確立する。また操作部１２５の解錠ボタンが押下された信号が入力されると、制御部１１３は制御装置３０に解錠信号を送信し、ロビーの扉の鍵を解錠する。
【００３１】
このように本実施の形態では、本体ユニット１１に信号処理および制御に関する機能を集約し、パネルユニット１２にユーザインタフェースに関する機能を集約している。施工業者は、まず本体ユニット１１を設置場所に設置し、本体ユニット１１の通信Ｉ／Ｆ１１１を幹線２に接続する。また玄関の外側に設置されたドアインターホン装置２０と本体ユニット１１の通信Ｉ／Ｆ１１１を通信線で接続する。
【００３２】
その後、パネルユニット１２が本体ユニット１１に非装着の状態で、制御部１１３は、ドアインターホン装置２０及び／又はロビーインターホン装置４０との通信状態を確認してもよい。例えばドアインターホン装置２０と通信線で接続され、ドアインターホン装置２０から接続確認信号が受信されることを契機に、制御部１１３は、ドアインターホン装置２０から受信する信号が正常であるか否か確認する。また施工業者がドアインターホン装置２０のマイクに話しかけ、制御部１１３がドアインターホン装置２０から正常に音声信号を受信できているか確認してもよい。ロビーインターホン装置４０との通信状態も同様に確認する。例えば、ロビーインターホン装置４０から正常に音声信号および映像信号を受信できているか確認する。
【００３３】
新築物件やリニューアル物件では、この状態で入居者に引き渡す形態でもよい。入居者は、好みのパネルユニット１２を選択して本体ユニット１１に装着する。大画面の高画質ディスプレイが搭載されたパネルユニット１２を選択することもできるし、スペックを抑えた低価格のパネルユニット１２を選択することもできる。
【００３４】
上述のように本体ユニット１１側に信号処理および制御に関する機能が集約しているため、パネルユニット１２が装着されていない状態でも施工確認が可能である。また本体ユニット１１の施工確認が正常であったにも関わらず、表示部１２２に映像が表示されない場合、パネルユニット１２側または本体ユニット１１とパネルユニット１２間の配線１３に不具合があると推定できる。スピーカ１２３から音声が出力されない場合も同様である。これに対して、パネルユニット１２が装着された状態で施工確認を行うと、不具合箇所を絞り込むことができない。
【００３５】
上述のように本体ユニット１１の方が、パネルユニット１２より製品サイクルが長い。そこで本体ユニット１１の機能拡充はソフトウェアのアップデートで対応してもよい。例えば制御部１１３は、外部ネットワークを介して外部のサーバ４から更新プログラムを受信して、プログラムをバージョンアップする。本実施の形態では幹線２、制御装置３０、ゲートウェイ装置３を介してインターネット上のサーバ４にアクセスし、更新プログラムを受信する。制御部１１３はＲＡＭ内に更新プログラムをダウンロードし、更新プログラムをインストールする。その際、制御部１１３はパネルユニット１２からパネルユニット１２の種別、バージョン等の識別情報を取得して、装着しているパネルユニット１２に対応する適切なプログラムをダウンロードする。例えば、パネルユニット１２の表示解像度に合った画像処理プログラムをダウンロードする。
【００３６】
このように本体ユニット１１のプログラムを遠隔アップデートすることにより、本体ユニット１１の陳腐化を遅らせることができる。また新たな機能追加もできる。また自動アップデート機能をオンにしていれば、ユーザが意識することなく、本体ユニット１１を最新の状態に維持することができる。
【００３７】
以上説明したように本実施の形態によれば、長期間使用できる本体ユニット１１と、すぐに陳腐化するパネルユニット１２を分離することにより、パネルユニット１２を簡単に低コストで交換できる。パネルユニット１２の交換では施工業者による作業が発生しないため簡単に交換できる。またパネルユニット１２はユーザインタフェース機能に特化しているため、インターホン室内装置１０全体を交換する場合と比較して、低価格で交換できる。従って入居者はすぐに陳腐化するパネルユニット１２を簡単に最新のものに交換できる。
【００３８】
またパネルユニット１２の色やデザインに複数のバリエーションを用意すれば、入居者は、自己の趣向に沿ったパネルユニット１２を選択できる。またパネルユニット１２はマンション単位で交換する必要はなく、住戸単位で交換可能であるため入居者は好きな時期に新しいパネルユニット１２に交換できる。
【００３９】
またパネルユニット１２との接続Ｉ／Ｆは、パネルユニット１２の種類に関わらず共通であるため、メーカは本体ユニット１１の開発コストを下げることができる。また本体ユニット１１の開発サイクルと無関係に、パネルユニット１２の開発サイクル及び発売サイクルを短くできる。
【００４０】
図５は、変形例に係るインターホン室内装置１０の本体ユニット１１及びパネルユニット１２の構成を示すブロック図である。図４に示したパネルユニット１２は、ユーザインタフェース機能に特化したものであったが、変形例ではタブレット端末のようにパネルユニット１２にも処理機能を持たせる例である。
【００４１】
パネルユニット１２の処理部１２６は、ハードウェア資源とソフトウェア資源の協働、又はハードウェア資源単体により実現できる。処理部１２６は、本体ユニット１１の制御部１１３、映像信号処理部１１４および音声信号処理部１１５と同様の機能を実現できる。従って、インターネットブラウザ機能を搭載したパネルユニット１２や音声認識機能を搭載したパネルユニット１２も製品ラインナップに追加できる。
【００４２】
変形例に係る本体ユニット１１では、信号分離部１１２と、映像信号処理部１１４及び音声信号処理部１１５との間に経路切替部１１７が追加される。経路切替部１１７は、制御部１１３からのモード切替信号に応じて信号経路を切り替える。処理部１２６が搭載されているパネルユニット１２が装着されている場合、経路切替部１１７はバイパス経路に切り替える。バイパス経路が選択されている場合、経路切替部１１７は、信号分離部１１２から入力される信号を、接続Ｉ／Ｆ１１６、バイパス用配線１３ｄ、接続Ｉ／Ｆ１２１を介してパネルユニット１２の処理部１２６にバイパスする。
【００４３】
処理部１２６が搭載されてないユーザインタフェース機能に特化したパネルユニット１２が装着されている場合、経路切替部１１７は、信号分離部１１２から入力される信号を、映像信号処理部１１４、音声信号処理部１１５または制御部１１３に出力する。この場合、図４の説明と同じになる。
【００４４】
変形例では、本体ユニット１１とパネルユニット１２のプログラムを個別にバージョンアップできる。その際、ユニット間でバージョンアップ状況を把握し、ユニット間でバージョンの不一致が発生しないようにする。また他方が通信処理中にはバージョンアップを実行しないようにする。このように、本体ユニット１１とパネルユニット１２のプログラムを個別にアップデートすることにより、インターホン機能、ユーザインタフェース機能、付加機能を別々にアップデートすることができる。
【００４５】
以上説明したように変形例によれば、本体ユニット１１に経路切替部１１７を設けることにより、処理機能を持ったパネルユニット１２にも対応可能な、より汎用性の高い本体ユニット１１を生成できる。
【００４６】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００４７】
例えば本体ユニット１１またはパネルユニット１２に、タブレット端末やスマートフォン端末と通信可能な無線通信部（例えば、無線ＬＡＮユニット、近距離無線通信ユニット（例えば、Bluetooth（登録商標））を設けてもよい。この場合、市販のタブレット端末やスマートフォン端末をインターホン室内装置１０と連携させることができる。
【００４８】
上記の実施の形態ではマンションに設置されるインターホンシステム１を説明したが、戸建てに設置されるインターホンシステム１にも適用できる。戸建てに設置されるインターホンシステム１では、制御装置３０及びロビーインターホン装置４０が設けられず、インターホン室内装置１０及びドアインターホン装置２０が構成要素となる。また、マンション用に限らず、オフィスや工場等の非住宅用途に使用されるインターホンシステム１にも適用できる。
【００４９】
なお、実施の形態は、以下の項目によって特定されてもよい。
【００５０】
［項目１］
表示部（１２２）、マイク（１２４）及びスピーカ（１２３）を備える装着ユニット（１２）が着脱自在に装着されるインターホン装置（１０）の固定設置ユニット（１１）であって、
他のインターホン装置（２０、４０）から送信された第１映像信号と第１音声信号を受信する通信部（１１１）と、前記通信部（１１１）において受信した第１映像信号を前記表示部（１２２）に出力するために変換した第２映像信号を出力するとともに、前記通信部（１１１）において受信した第１音声信号を前記スピーカ（１２３）に出力するために変換した第２音声信号を出力するとともに、前記マイク（１２４）から出力された第３音声信号が入力される接続部（１１６）と、を備え、
前記通信部（１１１）は、前記接続部（１１６）において入力された第３音声信号を前記他のインターホン装置（２０、４０）に送信するために変換した第４音声信号を送信する。
これにより、インターホン装置（１０）のユーザインタフェースを簡単に低コストで交換できる。
［項目２］
前記他のインターホン装置（２０、４０）との通信を制御する制御部（１１３）をさらに備えることを特徴とする項目１に記載のインターホン装置（１０）の固定設置ユニット（１１）。
これにより、インターホン装置（１０）の装着ユニット（１２）側に制御部を設けない構成が可能である。
［項目３］
前記装着ユニット（１２）は、ユーザの操作を受け付ける操作部（１２５）をさらに備え、
前記制御部（１１３）は、前記操作部（１２５）から入力される信号を解釈することを特徴とする項目２に記載のインターホン装置（１０）の固定設置ユニット（１１）。
これにより、装着ユニット（１２）側に制御機能を搭載する必要がなくなり、装着ユニット（１２）を低コストで作成できる。
［項目４］
前記制御部（１１３）は、前記装着ユニット（１２）が非装着の状態で、前記他のインターホン装置（２０、４０）から受信する信号が正常であるか否か確認することを特徴とする項目２または３に記載のインターホン装置（１０）の固定設置ユニット（１１）。
これにより、装着ユニット（１２）が装着後に不具合が発生した場合、不具合箇所を絞り込むことができる。
［項目５］
前記制御部（１１３）は、外部ネットワークを介して外部のサーバ（４）から更新プログラムを受信して、プログラムをバージョンアップすることを特徴とする項目２から４のいずれかに記載のインターホン装置（１０）の固定設置ユニット（１１）。
これにより、装着ユニット（１２）より製品サイクルが長い固定設置ユニット（１１）の陳腐化を遅らせることができる。
［項目６］
項目１から５のいずれかに記載の固定設置ユニット（１１）と、
前記固定設置ユニット（１１）に着脱自在に装着される前記装着ユニット（１２）と、
を備えることを特徴とするインターホン装置（１０）。
これにより、インターホン装置（１０）のユーザインタフェースを簡単に低コストで交換できる。
［項目７］
室内に設置される項目６に記載のインターホン装置（１０）と、
室外に設置される前記他のインターホン装置（２０、４０）と、
を備えることを特徴とするインターホンシステム（１）。
これにより、インターホン装置（１０）のユーザインタフェースを簡単に低コストで交換できる。
【符号の説明】
【００５１】
１  インターホンシステム、  ２  幹線、  ３  ゲートウェイ装置、  ４  サーバ、  １０  インターホン室内装置、  １１  本体ユニット、  １１１  通信Ｉ／Ｆ、  １１２  信号分離部、  １１３  制御部、  １１４  映像信号処理部、  １１５  音声信号処理部、  １１６  接続Ｉ／Ｆ、  １１７  経路切替部、  １２  パネルユニット、  １２１  接続Ｉ／Ｆ、  １２２  表示部、  １２３  スピーカ、  １２４  マイク、  １２５  操作部、  １２６  処理部、  １３  配線、  ２０  ドアインターホン装置、  ３０  制御装置、  ４０  ロビーインターホン装置。
【図１】
0006748952.tif 000002
【図２】
0006748952.tif 000003
【図３】
0006748952.tif 000004
【図４】
0006748952.tif 000005
【図５】
0006748952.tif 000006